(57)【要約】【課題】回転体が外れにくく、かつ、製造が容易であるにも関わらず、非貫通状態の回転体と同様のマッサージ効果が得られるマッサージ器を提供する。【解決手段】マッサージ器１は、ハンドルと、ハンドル３に取り付けられた支持軸４と、支持軸４に軸支された第１及び第２の滑り軸受部５１及び５２並びに保持部材６からなる軸受け部と、軸受け部を介して、支持軸４の回りを回転可能としている貫通状態の回転体２と、保持部材６から突出している支持軸４の先端側を延長する軸延長部７と、軸延長部７の先端に取り付けられたキャップ９と備える。キャップ９の回りを回転体２が回転するように、キャップ９と回転体２との間に、クリアランスが設けられている。キャップ９は、回転体２の湾曲に沿った形状を有している。【選択図】図２
0003219471.tif 000002
【実用新案登録請求の範囲】
【請求項１】
把持部と、
把持部に取り付けられた支持軸と、
前記支持軸に軸支された軸受け部と、
前記軸受け部を介して、前記支持軸の回りを回転可能としている貫通状態の回転体と、
前記支持軸の先端側に取り付けられたキャップと備え、
前記キャップの回りを前記回転体が回転するように、前記キャップと前記回転体との間に、クリアランスが設けられていることを特徴とする、マッサージ器。
【請求項２】
前記回転体は、前記支持軸を通る断面において、前記支持軸の先端側が弧状に湾曲した形状を有しており、
前記キャップは、前記回転体の湾曲に沿った形状を有していることを特徴とする、請求項１に記載のマッサージ器。
【請求項３】
前記クリアランスは、１ｍｍ以下であることを特徴とする、請求項１又は２に記載のマッサージ器。
【請求項４】
前記クリアランスは、０．５ｍｍ以下であることを特徴とする、請求項３に記載のマッサージ器。
【請求項５】
前記クリアランスは、０．２ｍｍ以下であることを特徴とする、請求項４に記載のマッサージ器。
【請求項６】
前記キャップの胴部は、
複数の舌部と、
各舌部から突出した複数の凸部とを有することを特徴とする、請求項１〜５のいずれかに記載のマッサージ器。
【請求項７】
前記支持軸の先端側を延長する軸延長部をさらに備え、
前記軸延長部は、前記支持軸の先端部を挿入する穴を有し、
前記穴で、前記先端部がネジ止めされることを特徴とする、請求項１〜６のいずれかに記載のマッサージ器。
【請求項８】
前記軸受け部は、
保持部材と、
前記保持部材に両側から挿入される第１及び第２の滑り軸受部とを含むことを特徴とする、請求項１〜７のいずれかに記載のマッサージ器。
【請求項９】
前記第１及び第２の滑り軸受部は、前記保持部材に対して、回転しないようにするための凸部を有することを特徴とする、請求項８に記載のマッサージ器。
【請求項１０】
前記軸受け部は、
保持部材と、
前記保持部材に両側から挿入される第１及び第２のベアリングとを含むことを特徴とする、請求項１〜７のいずれかに記載のマッサージ器。
【考案の詳細な説明】
【技術分野】
【０００１】
本考案は、手動で回転体を回転させてマッサージを行なうマッサージ器に関し、より特定的には、回転体を貫通状態としたマッサージ器に関する。
【背景技術】
【０００２】
球体や円柱体、多角形柱体、洋ナシ形状、バルーン形状、ラグビーボール形状、オリーブ形状、断面楕円形状などの種々の形状の回転体を手動で回転させて、人体の皮膚や筋肉、脂肪等をマッサージすることで、血行促進効果やリラックス効果、美容効果、美肌効果、老廃物除去効果などを得るマッサージ器が知られている。このようなマッサージ器は、時折、美容器や美顔器、美容ローラ、美肌ローラなどとして販売されていることもある。どのような名称であれ、これらのマッサージ器具は、回転体を人体に接触させて回転させることで得られる生理的作用による効果を期待するものである。以下、マッサージ器と言えば、美容器や美顔器、美容ローラ、美肌ローラなど美容効果を前面に打ち出した名称の製品も含まれるものとする。
【０００３】
このようなマッサージ器においては、回転体をスムーズに回転させることが必要となる。また、製造段階においては、製造がしやすい構造である必要もある。
【０００４】
特許文献１に記載の美容器では、回転軸側にのみ穴が空いた回転体を用いている。当該回転体の内周には、段差部が設けられている。そして、特許文献１に記載の美容器では、弾性変形可能な係止爪と、鍔部とを備えた軸受部材を用いている。当該軸受部材が支持軸に挿入されて、抜け止めされた状態で、回転体に挿入されることで、係止爪が変形して、係止爪と鍔部との間に、段差部が位置することで、軸受及び支持軸が回転体から抜けないように構成されている。
【０００５】
特許文献２に記載の美容器でも、回転軸側にのみ穴が空いた回転体が用いられている。そして、回転体の内部に、ローラコアを設けている。ローラコアの内周には、ホルダー係合溝が設けられている。そして、ベアリングホルダーの両側にベアリングが嵌められ、支持軸が、ベアリングに挿入されて、抜け止めされた状態となっている。製造時には、ベアリングホルダーがローラコアに挿入されて、ベアリングホルダーのローラ係合爪が縮径して、ホルダー係合溝に係合することで、軸受及び支持軸が回転体から抜けないように構成されている。
【０００６】
なお、軸受に設けられた係止爪を弾性変形したり、係合爪を縮径したりして、ハウジング（ここでは、回転体）に軸受を結合することを、一般に、スナップ結合と呼ぶ。言い換えるならば、スナップ結合とは、カチッというような音を鳴らすようにして、ハウジングに軸受を結合することである。
【０００７】
特許文献３では、マッサージ器を立てた状態で、回転体の支持軸が斜め下方向に傾くように構成されたマッサージ器を開示している。言い換えるならば、特許文献３のマッサージ器の支持軸と把持部との間の側面視の角度（前傾角度）は鋭角であると言える。なお、特許文献１及び２では、支持軸と把持部との間の側面視の角度（前傾角度）は、９０度から１１０度となっており、直角又は鈍角となっている。
【０００８】
特許文献４では、一つのローラを用いる場合の軸受構造が開示されている。
【０００９】
特許文献５では、４つのローラを用いる場合の軸受構造が開示されている。
【先行技術文献】
【特許文献】
【００１０】
【特許文献１】特許第5847904号公報  図４
【特許文献２】特許第6121026号公報  図５
【特許文献３】特許第4916580号公報
【特許文献４】特開2010-131090号公報
【特許文献５】特許第5791844号公報
【考案の概要】
【考案が解決しようとする課題】
【００１１】
特許文献１及び２の美容器では、回転体を非貫通状態とするために、回転軸側にのみ設けられた穴から軸受け部材を挿入する必要があり、軸受け部材が抜けてこないようにするために、係止爪や係合爪を使用する必要があった。
【００１２】
特許文献１に記載の軸受部材における係止爪は、支持軸の先端側に向かって低くなる斜面を有しているため、係止爪の基端側と鍔部との間に、段差部が位置することで、軸受部材が抜けないように構成されている。もちろん、通常通りの使用方法であれば、このような係止爪による係合で、問題が生じることはないであろう。しかし、このような構成の場合、係止爪に対して、予期せぬ負荷がかかると、係止爪の係合が外れて、回転体が外れてしまう危険がある。たとえば、特許文献１に記載の美容器を手元から落としてしまったような場合、係止爪が破損するなどして、係合が外れ、回転体が取れてしまう。また、回転体を係止爪の強度以上に引っ張れば、係止爪が破損して、回転体が外れてしまう。このように、特許文献１に記載の美容器における軸受構造には、脆弱な一面が存在する。
【００１３】
特許文献２に記載の美容器では、ローラ係合爪とホルダー係合溝との係合によって、回転体が支持軸から抜けないように構成されている。非貫通の回転体に対して、スナップ結合によって、ローラ係合爪とホルダー係合溝とを係合させるためには、ローラ係合爪が縮径するか、若しくは、ホルダー係合溝側のローラコア側が拡径するかして、係合される必要があるが、特許文献２に記載の構造では、ローラ係合爪が非常に小さいものであるから、力の加え方によっては、その係合が外れてしまう危険性が高い。
【００１４】
このように、従来のマッサージ器で用いられている軸受構造には、回転体が外れてしまうという危険性が存在した。特に、非貫通の回転体を用いるために、係止爪や係合爪を用いることとしている特許文献１及び２の美容器では、その問題が顕著に表れてくる。
【００１５】
なお、特許文献３では、具体的に、どのような軸受構造で、回転体を非貫通状態で支持するかは開示されていない。
【００１６】
また、特許文献４では、回転体を非貫通状態で指示しているが、ベアリングとL型ベアリングとを回転体に圧入する必要があるが、先端側のベアリングの圧入が困難である。また、回転体が外れにくい構造であるか否か不明である。
【００１７】
また、特許文献５では、４つのローラが軸受を介して支持軸に回転可能に支持されていることを開示しているが、軸受の具体的構造に関する説明はなされておらず、製造が容易な軸受け構造であるか否か不明である。また、回転体が外れにくい構造であるか否か不明である。
【００１８】
回転体の数に関係なく、回転体を用いてマッサージを行なう器具においては、回転体が抜けないということが必須であるにもかかわらず、特許文献１及び２に記載の考案は、回転体が外れてしまう危険性を含んでいる。また、特許文献４及び５のような軸受け構造にでは、製造の困難さが伴う可能性があり、また、回転体が外れにくい構造であるか否か不明である。
【００１９】
それゆえ、本考案は、回転体が外れにくく、かつ、製造が容易であるにも関わらず、非貫通状態の回転体と同様のマッサージ効果が得られるマッサージ器を提供することを目的とする。
【課題を解決するための手段】
【００２０】
上記課題を解決するために、本考案は、以下のような特徴を有する。本考案は、把持部と、把持部に取り付けられた支持軸と、支持軸に軸支された軸受け部と、軸受け部を介して、支持軸の回りを回転可能としている貫通状態の回転体と、支持軸の先端側に取り付けられたキャップと備えるマッサージ器である。
【００２１】
キャップの回りを回転体が回転するように、キャップと回転体との間に、クリアランスが設けられている。
【００２２】
回転体は、支持軸を通る断面において、支持軸の先端側が弧状に湾曲した形状を有しており、好ましくは、キャップは、回転体の湾曲に沿った形状を有している。
【００２３】
好ましくは、クリアランスは、１ｍｍ以下であるとよく、さらに、好ましくは、クリアランスは、０．５ｍｍ以下であるとよく、さらに、好ましくは、クリアランスは、０．２ｍｍ以下であるとよい。
【００２４】
一実施形態として、キャップの胴部は、複数の舌部と、各舌部から突出した複数の凸部とを有するとよい。
【００２５】
一実施形態として、支持軸の先端側を延長する軸延長部をさらに備え、軸延長部は、支持軸の先端部を挿入する穴を有し、当該穴で、先端部がネジ止めされる。
【００２６】
一実施形態として、軸受け部は、保持部材と、保持部材に両側から挿入される第１及び第２の滑り軸受部とを含む。
【００２７】
好ましくは、第１及び第２の滑り軸受部は、保持部材に対して、回転しないようにするための凸部を有する。
【００２８】
一実施形態として、軸受け部は、保持部材と、保持部材に両側から挿入される第１及び第２のベアリングとを含む。
【考案の効果】
【００２９】
本考案によれば、回転体を貫通状態としつつ、先端側にキャップを取り付けて、キャップと回転体との間にクリアランスを設けることで、非貫通状態の回転体と同様のマッサージ効果を得ることができる回転体を提供することが可能となる。
【００３０】
たとえば、キャップを回転体の湾曲に沿った形状とすれば、キャップと回転体との段差がなくなるため、非貫通状態の回転体と同様のマッサージ効果を得ることが可能となる。
【００３１】
クリアランスを、１ｍｍ以下、０．５ｍｍ以下、又は０．２ｍｍ以下のように、狭いものとすれば、キャップと回転体との間の段差がほとんどなくなり、非貫通状態の回転体と同様のマッサージ効果を得ることが可能となる。
【００３２】
このように、非貫通状態の回転体と同様のマッサージ効果を得ることができるにも関わらず、軸受け部材に係止爪や係合爪を用いないため、回転体が外れやすいという問題も生じない。
【００３３】
たとえば、軸受け部の構造として、保持部材と第１及び第２の滑り軸受部とを用いることで、保持部材を回転体に圧入するだけで、回転体を軸受け部に強固に固定することができ、回転体は外れる可能性が低くなる。
【００３４】
また、第１及び第２の滑り軸受部は、保持部材に対して、回転しないようにするための凸部を有することで、第１及び第２の滑り軸受部が保持部材の中で空回りすることが防止される。
【００３５】
また、たとえば、軸受け部の構造として、保持部材と第１及び第２のベアリングとを用いることで、保持部材を回転体に圧入するだけで、回転体を軸受け部に強固に固定することができ、回転体は外れる可能性が低くなる。
【００３６】
キャップの構造として、舌部と凸部を用いることで挿入しやすく、かつ、抜けにくい構造を提供することが可能となる。
【００３７】
軸延長部は、たとえば、支持軸の先端部を挿入する穴を有し、当該穴で先端部がネジ止めされることで、支持軸が軸受け部から抜けるのが防止される。
【００３８】
本考案のこれら、及び他の目的、特徴、局面、効果は、添付図面と照合して、以下の詳細な説明から一層明らかになるであろう。
【図面の簡単な説明】
【００３９】
【図１】図１は、本考案の一実施形態に係るマッサージ器１の平面図である。
【図２】図２は、マッサージ器１の回転体２の内部構造を示す分解斜視図である。
【図３】図３は、図１におけるＡ−Ａ線での回転体２の内部構造を示す断面図である。
【図４】図４は、キャップ９の斜視図である。
【図５】図５は、キャップ９の斜視図である。
【図６】図６は、軸受け部の変形例を示す断面図である。
【図７】図７は、軸受け部の変形例を示す分解斜視図である。
【図８】図８（ａ）は、軸受け部の変形例を示す断面図である。図８（ｂ）は、滑り軸受部１１の斜視図である。
【図９】図９は、キャップ９の変形例を示す断面図である。
【図１０】図１０は、本考案の実施例の左側面図を示す写真代用写真である。
【考案を実施するための形態】
【００４０】
図１は、本考案の一実施形態に係るマッサージ器１の平面図である。図１において、マッサージ器１は、一対の回転体２，２と、ハンドル３とを備える。ハンドル３の回転体側は、二股部３ａ，３ａを有する。各二股部３ａに、回転体２が回転可能に支持されている。なお、ハンドル３や回転体２の外観形状については、図示はあくまでも一例に過ぎず、本考案を限定するものではない。
【００４１】
図２は、マッサージ器１の回転体２の内部構造を示す分解斜視図である。図３は、図１におけるＡ−Ａ線での回転体２の内部構造を示す断面図である。回転体２の内部には、支持軸４と、第１の滑り軸受部５１と、保持部材６と、第２の滑り軸受部５２と、軸延長部７と、ネジ８と、キャップ９とが設けられている。
【００４２】
二股部３ａには、支持軸４を挿入するための穴が設けられており、当該穴に、支持軸４が圧入される。適宜、支持軸４と二股部３ａとは、接着剤等で、抜けないように固定されてもよい。支持軸４は、好ましくは、強度が必要な点を考慮すると、金属製であるとよいが、本考案を限定するものではない。
【００４３】
支持軸４の回りを回転体２が回転することを保証するために、第１の滑り軸受部５１、保持部材６、及び第２の滑り軸受部５２が軸受け部として機能する。
【００４４】
保持部材６を金属製とすることで、回転体２側がハンドル３の基端側よりも重くなるので、マッサージ器１によるマッサージが容易になるという利点があるが、保持部材６は、金属製に限るものではなく、樹脂製であってもよく、その材質は、本考案を限定するものではない。
【００４５】
第１の滑り軸受部５１は、円筒状の胴部分５ａからサイドに突出した二つの凸部５ｃ，５ｃと、支持軸側のフランジ部５ｅとを含む。保持部材６の支持軸側は、第１の滑り軸受部５１の胴部５ａを挿入することができる穴と、二つの凸部５ｃ，５ｃの形状に合わせた凹部６ａ，６ａとを有する。当該穴に、第１の滑り軸受部５１の胴部５ａが挿入され、凹部６ａ，６ａに、凸部５ｃ，５ｃが挿入され、フランジ部５ｅが、保持部材６の端面と当接する。このようにして、第１の滑り軸受部５１は、保持部材６の支持軸側に挿入される。なお、はめ合いは、特に限定されず、すきまばめでもよい。凹部６ａ，６ａと凸部５ｃ，５ｃとの係合によって、第１の滑り軸受部５１自体は、保持部材６に対しては、回転しないようになる。なお、図３は、凸部５ｃ，５ｃに対して垂直の方向に切断した断面図であるため、図３では、凸部５ｃ，５ｃは図示されていない。なお、凸部５ｃ及び凹部６ａは、少なくとも一つずつあればよい。
【００４６】
第２の滑り軸受部５２は、円筒状の胴部分５ｂからサイドに突出した二つの凸部５ｄ，５ｄと、回転体側のフランジ部５ｆとを含む。保持部材６の回転体側は、第２の滑り軸受部５２の胴部５ｂ及びフランジ部５ｆを挿入することができる穴６ｃと、二つの凸部５ｄ，５ｄの形状に合わせた凹部６ｂ，６ｂとを有する。穴６ｃに、第２の滑り軸受部５２の胴部５ｂ及びフランジ部５ｆが挿入され、凹部６ｂ，６ｂに、凸部５ｄ，５ｄが挿入される。このようにして、第２の滑り軸受部５２は、保持部材６の回転体側に挿入される。なお、はめ合いは、特に限定されず、すきまばめでもよい。凹部６ｂ，６ｂと凸部５ｄ，５ｄとの係合によって、第２の滑り軸受部５２自体は、保持部材６に対しては、回転しないようになる。なお、図３は、凸部５ｄ，５ｄに対して垂直の方向に切断した断面図であるため、図３では、凸部５ｄ，５ｄは図示されていない。なお、凸部５ｄ及び凹部６ｂは、少なくとも一つずつあればよい。
【００４７】
なお、適宜、支持軸４の回転を滑らかにするために、グリース等が支持軸４や第１及び第２の滑り軸受部５１，５２に塗布されていてもよいことは言うまでもない。
【００４８】
図３に示すように、軸延長部７は、内部に、支持軸４の先端側を挿入するための穴７ｂを有している。支持軸４の先端には、穴が穿孔されている。穴７ｂに挿入された支持軸４の先端は、ネジ８によって、軸延長部７に固定される。これによって、支持軸４が軸受け部から抜けるのが防止される。
【００４９】
なお、軸延長部７の外観形状は、ここでは、円筒状であるとしているが、支持軸４の先端部を延長することができる形状であれば、円筒状に限らず、角柱状などであってもよく、支持軸４が長ければ必須ではなく、本考案を限定するものではない。
【００５０】
なお、ネジ８は、適宜、接着剤などで、軸延長部７に固定され、軸延長部７と支持軸４とが分離しないようにしておくとよいが、本考案を限定するものではない。
【００５１】
回転体２は、二股部３ａ側から、支持軸４の先端方向に向かって貫通する穴２ａを有する。以下、回転体２の穴２ａについて、二股部３ａ側を穴２ａの基端側、その反対側を穴２ａの先端側という。
【００５２】
穴２ａには、保持部材６のずれを防止するための段差部２ｂが設けられている。二股部３ａに取り付けられた支持軸４、第１及び第２の滑り軸受部５１，５２、保持部材６、並びに軸延長部７（ネジ８を含む）が、穴２ａの基端側から挿入される。はめ合いは、しまりばめであるとよく、保持部材６が、回転体２に対して、圧入されるのが好ましい。なお、適宜、保持部材６が回転体２に対して、接着剤等で接着されるとよい。
【００５３】
回転体２の穴２ａの先端側は、キャップ９のフランジ部９ｃの直径よりも少しだけ大きい穴２ｃを有する。穴２ｃは、フランジ部９ｃの直径よりも少しだけ大きいとは、穴２ｃの直径は、フランジ部９ｃの回りを回転体２が回転可能な程度の直径ということである。
【００５４】
具体的には、キャップ９と回転体２との間のクリアランスは、一般的なコピー用紙の厚みと同じ程度の０．１ｍｍ以下であることが最も好ましい。ただし、キャップ９と回転体２との間のクリアランスは、１ｍｍ以下であればよく、好ましくは、０．５ｍｍ以下、さらに好ましくは、０．２ｍｍ以下であればよい。
【００５５】
軸延長部７の先端側は、キャップ９の胴部を挿入することができる穴７ａを有しており、穴７ａにキャップ９の胴部が挿入される。
【００５６】
図３に示す構造では、穴２ｃの径は、穴２ａの径より小さいとしているため、回転体２に、保持部材６及び軸延長部７を挿入した後、回転体２の外側からキャップ９を挿入することとしている。ただし、穴２ｃと穴２ａの径を調整して、軸延長部７にキャップが挿入された状態で、保持部材６を挿入することができるのであれば、回転体２の外側からキャップ９を挿入する場合に限定されるものではない。
【００５７】
図４及び図５は、キャップ９の斜視図である。図４及び図５に示すように、キャップ９の胴部は、複数の舌部９ｂと、各舌部９ｂから突出した凸部９ａとによって構成されている。したがって、舌部９ｂが撓むことで、穴７ａにキャップ９が挿入される。
【００５８】
ただし、キャップ９の胴部は、単に、円筒状の形状であってもよい。すなわち、キャップ９の胴部を穴７ａに挿入する際、胴部が穴７ａに対して、しまりばめで挿入されることで、キャップ９が軸延長部７から、抜けないようにしてもよい。
【００５９】
キャップ９のフランジ部９ｃは、穴７ａに挿入された際に、回転体２の表面とほとんど段差が生じることがないように、回転体２の曲面に沿った形状を有している。
【００６０】
すなわち、本実施形態では、回転体２がキャップ９の回りを回転可能なように、キャップ９と回転体２との間のクリアランスが設計されており、かつ、キャップ９の形状は、回転体２の曲面に沿った形状となるように設計されている。
【００６１】
これによって、回転体２に対して、貫通する穴２ａを設けておきながらも、組み立て後の状態では、回転体２は、あたかも非貫通状態であるかのような仕上がりを得ることが可能となり、非貫通状態の回転体と同様のマッサージ効果を得ることができる。
【００６２】
また、回転体２に対して保持部材６を圧入することで、回転体２に対して軸受け部を取り付けることが可能であるので、製造が容易であるにも関わらず、係止爪や係合爪を用いる場合に比べて、格段に、回転体が外れにくいマッサージ器を提供することが可能である。
【００６３】
なお、上記実施形態では、保持部材６と、第１及び第２の滑り軸受部５１，５２とを軸受け部として用いる例を開示したが、軸受け部については、上記実施形態に限るものではない。支持軸４の回りの回転体の回転を保証する構造であれば、上記実施形態に限るものではない。
【００６４】
図６は、軸受け部の変形例を示す断面図である。図６では、第１及び第２の滑り軸受部５１，５２の代わりに、内輪及び外輪からなるベアリング１０ａ，１０ｂを保持部材６に挿入して、回転体２が支持軸４の回りを回転することを保証している。なお、軸延長部７は、ベアリング１０ｂの内輪のみに接しても良いし、外輪にも接しても良い。軸延長部７がベアリング１０ｂに接することで、回転しにくくなるのであれば、ワッシャを間に挟むなど、適宜、回転しやすいように、周知の手段で、適宜、調整すればよい。
【００６５】
図７は、軸受け部の別な変形例を示す分解斜視図である。図７では、構造をさらに単純なものとし、保持部材６に穴を空けておき、直接、支持軸４を挿入して、グリース等で、回転を保証するようにしている。このとき、保持部材６は、金属でもよいし、樹脂でもよい。保持部材６の先端側において、ネジ８を利用して、軸延長部７を支持軸４の先端側に取り付け、軸延長部７の先端側に、キャップ９を取り付けるようにする。
【００６６】
さらに、図８（ａ）は、軸受け部の変形例を示す断面図である。図８（ｂ）は、滑り軸受部１１の斜視図である。図８（ａ）及び（ｂ）に示すように、滑り軸受部１１を一つだけ用いてもよい。図８（ｂ）では、滑り軸受部１１は、大径部と小径部とからなる構造としているが、第１及び第２の滑り軸受部５１，５２のように、保持部材６内での回転を防止するために、凸部が設けられていてもよい。
【００６７】
これらの変形例から分かるように、軸受け部の構造は、種々に変形可能であり、本考案を限定するものではなく、本明細書及び図面に開示された構造以外のあらゆる周知の構造を採用することが可能である。
【００６８】
したがって、本考案においては、支持軸４に対して回転可能に軸支される軸受け部は、特に限定されるものではなく、軸受け部が回転体２の回転を保証する構造であればよい。
【００６９】
このように、本実施形態では、ハンドル３に対して、支持軸４を取り付け、支持軸４に軸支される軸受け部を介して、回転体２を回転可能に保持する構造において、回転体２を貫通状態として、軸受け部から突出する支持軸４に対して、軸延長部７を取り付け、軸延長部７に対して、キャップ９を取り付けることとしている。その際、キャップ９と回転体２との間のクリアランスを、キャップ９の回りを回転体２が回転できる程度に、小さくすることで、回転体２を非貫通状態としたのと同様の外観を有するマッサージ器１を得ることが可能となる。
【００７０】
さらに、キャップ９と回転体２との間のクリアランスを、キャップ９の回りを回転体２が回転できる程度に、小さくすることで、当該クリアランスに、皮膚や体毛が巻き込まれることが防止され、非貫通状態の回転体と同様、回転体２の先端側で、マッサージを行なうことが可能となる。
【００７１】
なお、上記実施形態では、キャップ９のフランジ部９ｃによって、軸延長部７の先端側が回転体２の外側から視認できないようにしたが、キャップ９の構造は、フランジ部９ｃを有する場合に限られない。たとえば、図９に示すように、キャップ９を一方に穴があいた筒状としておき、当該穴側に、軸延長部７の先端を差し込むようにすれば、キャップ９は、フランジ部９ｃを有していなくてもよい。この場合も、キャップ９の回転体側の形状は、回転体２の湾曲形状に沿った形状としておけばよい。その他、キャップ９を差し込む構造は、種々に変形しうる。
【００７２】
なお、上記実施形態では、二股部３ａ，３ａを有するハンドル３を用いることとしたが、回転体が一つだけの一本タイプのマッサージ器や、回転体が四つのタイプのマッサージ器においても、本考案の軸受け部、軸延長部７、及びキャップ９の構造を採用することが可能である。また、Y字型ではなく、Ｔ字型のマッサージ器においても、本考案の軸受け部、軸延長部７、及びキャップ９の構造を採用することが可能である。
【００７３】
すなわち、本考案は、ハンドルに取り付けられた支持軸に対して、軸受け部を介して回転体が回転可能に支持されているマッサージ器であれば、Ｙ字型のマッサージ器に限らず、一本タイプのマッサージ器やＴ字型のマッサージ器、回転体が四つのタイプ、または、回転体の数が三つやその他の数の回転体を有するマッサージ器においても利用可能である。
【００７４】
また、本考案において、ハンドルの形状は、限定されるものではなく、全体が湾曲せずに直線状になっていたり、屈曲していたりしていてもよく、握りやすいように、波形が形成されていてもよく、また、特に、四つの回転体を用いるタイプのマッサージ器の場合、握りやすいように、ハンドル部分が球体やコンピュータのマウスのような形などであってもよい。ハンドルとは、これらを総称して、把持部と表現してもよい。
【実施例】
【００７５】
図１０は、本考案の実施例の左側面図を示す写真代用写真である。本実施例では、キャップ９と回転体２との間のクリアランスは、一般的なコピー用紙の厚みと同じ程度の０．１ｍｍとしている。図１０に示すように、キャップ９の回りを回転体２が回転するように、キャップ９と回転体２との間のクリアランスを調整しておけば、非貫通状態の回転体とほぼ同様の外観を有するマッサージ器を提供することが可能となる。
【００７６】
図１０に示す実施例を用いて、回転体２のキャップ９側で意図的に皮膚が接触するように、回転体２を回転させてマッサージを行なったが、皮膚が、キャップ９と回転体２との間のクリアランスに巻き込まれるようなことはなかった。
【００７７】
以上、本考案を詳細に説明してきたが、前述の説明はあらゆる点において本考案の例示にすぎず、その範囲を限定しようとするものではない。本考案の範囲を逸脱することなく種々の改良や変形を行うことができることは言うまでもない。本明細書に開示されている考案の構成要件は、それぞれ独立に単独した考案として成立するものとする。各構成要件をあらゆる組み合わせ方法で組み合わせた考案も、本考案に含まれることとする。
【産業上の利用可能性】
【００７８】
本考案は、マッサージ器であり、産業上利用可能である。
【符号の説明】
【００７９】
１  マッサージ器
２  回転体
２ａ，２ｃ  穴
２ｂ  段差部
３  ハンドル（把持部）
３ａ  二股部
４  支持軸
５１  第１の滑り軸受部
５２  第２の滑り軸受部
５ａ，５ｂ  胴部
５ｃ，５ｄ  凸部
５ｅ，５ｆ  フランジ部
６  保持部材
６ａ，６ｂ  凹部
６ｃ  穴
７  軸延長部
７ａ，７ｂ  穴
８  ネジ
９  キャップ
９ａ  凸部
９ｂ  舌部
１０ａ，１０ｂ  ベアリング
１１  滑り軸受部
【図１】
0003219471.tif 000003
【図２】
0003219471.tif 000004
【図３】
0003219471.tif 000005
【図４】
0003219471.tif 000006
【図５】
0003219471.tif 000007
【図６】
0003219471.tif 000008
【図７】
0003219471.tif 000009
【図８】
0003219471.tif 000010
【図９】
0003219471.tif 000011
【図１０】
0003219471.tif 000012